(57)【特許請求の範囲】
【請求項１】
一対の第１の取着部を有する金属製の本体ケースと、
前記本体ケースの前記一対の第１の取着部に対応する一対の第２の取着部を有し、前記本体ケースの周縁部を覆う金属製の外装部材と、
前記第１の取着部と前記第２の取着部とを連結する連結部材と、
前記第１の取着部及び前記第２の取着部と前記連結部材との間に設けられた緩衝部材と、
前記本体ケースの前記一対の第１の取着部に対応する一対の第３の取着部を有する金属製のバンド部材と、
を備え、
前記連結部材は、前記第１の取着部と前記第２の取着部と前記第３の取着部とを連結し、
前記外装部材が前記本体ケースの周縁部と前記第３の取着部とに対して離間配置されていることを特徴とする耐衝撃装置。
【請求項２】
前記本体ケース及び前記外装部材のいずれか一方に配置され、他方に対して隙間を介して配置された他の緩衝部材を備えることを特徴とする請求項１に記載の耐衝撃装置。
【請求項３】
前記隙間は、前記緩衝部材が所定の荷重を受けた場合の当該緩衝部材の変形量よりも小さいことを特徴とする請求項２に記載の耐衝撃装置。
【請求項４】
前記他の緩衝部材は、前記緩衝部材よりも硬質であるか、または衝撃吸収時の接触面積が大きいことを特徴とする請求項２または３に記載の耐衝撃装置。
【請求項５】
前記緩衝部材は、前記第３の取着部と前記連結部材との間にも設けられていることを特徴とする請求項１〜４のいずれか一項に記載の耐衝撃装置。
【請求項６】
請求項１〜５のいずれか一項に記載の耐衝撃装置を備えることを特徴とする時計。
【発明の詳細な説明】
【技術分野】
【０００１】
本発明は、耐衝撃装置及び時計に関する。
【背景技術】
【０００２】
従来、腕時計などの各種の時計として、時刻表示部の周縁に外装用のベゼルを備えるものが知られている（例えば、特許文献１参照）。
この種のベゼルは、一般にウレタンなどの合成樹脂で構成されており、本体ケースに対して正面側から装着され、ねじ等で固定されている。そのため、例えば落下などにより時計が衝撃を受けた場合でも、ベゼル自体がこの衝撃を緩和・吸収し、本体ケースの破損等が防止される。
【先行技術文献】
【特許文献】
【０００３】
【特許文献１】特開２０１５−１０９０５号公報
【発明の概要】
【発明が解決しようとする課題】
【０００４】
しかしながら、本体ケースやベゼルを金属製のものとした場合には、自重が増して落下時などの衝撃が増加するうえに、ベゼルの衝撃緩和機能が殆ど損なわれてしまう。そのため、本体ケースとベゼルとの取付構造に上記従来のものを単純に適用した場合、衝撃を十分に緩和しきれずに、本体ケースとベゼルの双方または一方が破損してしまうおそれがある。
【０００５】
本発明は、以上のような事情に鑑みてなされたものであり、金属製の本体ケース及び外装部材の間に伝わる衝撃を好適に緩和することができる耐衝撃装置及び時計の提供を目的とするものである。
【課題を解決するための手段】
【０００６】
前記課題を解決するために、本発明に係る耐衝撃装置は、
一対の第１の取着部を有する金属製の本体ケースと、
前記本体ケースの前記一対の第１の取着部に対応する一対の第２の取着部を有し、前記本体ケースの周縁部を覆う金属製の外装部材と、
前記第１の取着部と前記第２の取着部とを連結する連結部材と、
前記第１の取着部及び前記第２の取着部と前記連結部材との間に設けられた緩衝部材と、
前記本体ケースの前記一対の第１の取着部に対応する一対の第３の取着部を有する金属製のバンド部材と、
を備え、
前記連結部材は、前記第１の取着部と前記第２の取着部と前記第３の取着部とを連結し、
前記外装部材が前記本体ケースの周縁部と前記第３の取着部とに対して離間配置されていることを特徴とする。
【発明の効果】
【０００７】
本発明によれば、金属製の本体ケース及び外装部材の間に伝わる衝撃を好適に緩和することができるという効果を奏する。
【図面の簡単な説明】
【０００８】
【図１】実施形態における時計の正面図である。
【図２】実施形態における本体ケースの斜視図である。
【図３】図１のIII−III線での時計の断面図である。
【図４】図１のIV−IV線での時計の断面図である。
【図５】図１のＶ−Ｖ線での時計の断面図である。
【図６】実施形態における時計の変形例を説明するための断面図である。
【発明を実施するための形態】
【０００９】
以下、図面を参照しつつ、本発明に係る耐衝撃構造、及び、当該耐衝撃構造を具備する時計について説明する。
なお、以下に述べる実施形態には、本発明を実施するために技術的に好ましい種々の限定が付されているが、本発明の範囲を以下の実施形態及び図示例に限定するものではない。
【００１０】
図１は、本実施形態における時計１の正面図であり、図２は、時計１が備える後述の本体ケース２の斜視図であり、図３〜図５は、図１のIII−III線，IV −IV線及びＶ−Ｖ線での時計１の断面図である。
図１に示すように、本実施形態における時計１は、液晶表示部１０に時刻を表示するデジタル式の腕時計である。
なお、以下の説明において、「前」「後」「上」「下」「左」「右」との記載は、特に断りのない限り、液晶表示部１０から見た各方向を意味するものとする。つまり、「前」「後」が、時計１の正面方向（視認方向）及び裏面方向を意味し、「上」「下」「左」「右」が、当該時計１をアナログ式の時計とした場合の１２時，６時，３時，９時の各方向を意味する。
【００１１】
具体的に、時計１は、各種部品を内部に収容する金属製（例えばチタンやステンレス等）の本体ケース２を備えている。
本体ケース２は、図２に示すように、前後両端が開口した正面視略矩形状の短筒状に形成されるとともに、この開口前端及び開口後端がガラス部材（図示省略）及び裏蓋部材５（図４等参照）で閉塞されている。そして、これら本体ケース２，ガラス部材及び裏蓋部材５で画成された収容室の内部に、時刻を表示するための液晶表示部１０等からなる各種部品が収容されている。
【００１２】
本体ケース２には、図１に示すように、ベゼル３と２つのバンド４とが取り付けられている。
ベゼル３は、外部に露出する金属製（例えばチタンやステンレス等）の外装部品であり、液晶表示部１０を露出させつつ本体ケース２の周縁部の前側と外周側を覆っている。但し、本実施形態においては、ベゼル３は本体ケース２の周縁部に対し、隙間を介在させて離間配置されている（図４等参照）。
２つのバンド４は、それぞれ複数の駒体４０が連結されてなる金属製（例えばチタンやステンレス等）の時計バンド（時計ベルト）であり、各基端部が本体ケース２に取り付けられるとともに、図示は省略するが、各先端部が互いに締結可能に構成されている。
【００１３】
これらベゼル３及びバンド４は、時計１のうち液晶表示部１０の上下両側方に位置する上下一対の取付部１１で、本体ケース２に取り付けられている。
各取付部１１では、図２及び図３に示すように、本体ケース２の突設部２１と、ベゼル３の取付カバー部３１と、バンド４の２つの脚部４１とが相互に取り付けられている。
【００１４】
このうち、本体ケース２の突設部２１は、当該本体ケース２の上下両側面に、後側にやや傾斜しつつ上下側方へそれぞれ突設されている。各突設部２１の先端側の略半部には、後述する連結軸６を支持するための３つの軸支部２２が左右方向に沿って並設されている。これら３つの軸支部２２には、左右方向に沿った円形の貫通孔２２ａが同軸状にそれぞれ形成されている。また、本実施形態では、３つの軸支部２２のうち、左右中央の中央軸支部２２１が、左右両側の２つの側方軸支部２２２よりも広い幅に形成されている。
【００１５】
ベゼル３の取付カバー部３１は、本体ケース２の突設部２１と対応する部分であり、当該突設部２１の前側及び左右両側を覆うように、ベゼル３の上下両側部にそれぞれ設けられている。より詳しくは、各取付カバー部３１は、突設部２１の前側を覆う前板部３１１と、当該前板部３１１の左右両端から後方に延出しつつ突設部２１の左右両側を覆う２つの側板部３１２とを有する形状に形成されている。このうち、２つの側板部３１２には、左右方向に沿った円形の貫通孔３１２ａが同軸状にそれぞれ形成されている。この貫通孔３１２ａは、本体ケース２の３つの軸支部２２に形成された各貫通孔２２ａと同径に形成されるとともに、取付カバー部３１が本体ケース２の突設部２１に被せられた状態において各貫通孔２２ａと同軸上に位置するように形成されている。また、各貫通孔３１２ａのうち左右側方側の略半部は、雌ネジが形成されたネジ部３１２ｂとなっている。
【００１６】
バンド４の２つの脚部４１は、当該バンド４の基端部に左右方向に沿って並設されている。これら２つの脚部４１は、本体ケース２の突設部２１と対応する部分であり、この突設部２１の３つの軸支部２２間の２箇所の隙間よりもやや狭い幅に形成されて、当該２箇所の隙間内に嵌合されている。また、２つの脚部４１には、左右方向に沿った円形の貫通孔４１ａが同軸状にそれぞれ形成されている。この貫通孔４１ａは、本体ケース２の３つの軸支部２２に形成された各貫通孔２２ａと同径に形成されている。
【００１７】
これら本体ケース２の突設部２１（３つの軸支部２２）と、ベゼル３の取付カバー部３１と、バンド４の２つの脚部４１とは、それぞれの貫通孔２２ａ，３１２ａ，４１ａに挿通された連結軸６によって連結されている。この連結軸６は、当該貫通孔２２ａ，３１２ａ，４１ａに挿通された状態で、抜け止め用の２つのネジ部材７によって左右方向への移動が規制されている。各ネジ部材７は、先端に図示しない穴が形成されており、この穴に連結軸６の端部を挿通させつつ、ベゼル３の２つの側板部３１２に形成された各ネジ部３１２ｂに左右側方から締結されている。
このような構成により、ベゼル３が本体ケース２に固定されるとともに、２つのバンド４が本体ケース２に対して連結軸６回りに回動可能になっている。
【００１８】
ここで、本体ケース２の２つの側方軸支部２２２，ベゼル３の取付カバー部３１及びバンド４の２つの脚部４１と、連結軸６との間には、例えばエラストマーやアルファゲル（αＧＥＬ：登録商標）などの弾性材料で構成された円筒状の複数の緩衝部材８（緩衝部材８１，８２）が設けられている。
具体的には、本体ケース２の側方軸支部２２２と、ベゼル３の取付カバー部３１の側板部３１２との両貫通孔２２ａ，３１２ａ内に亘って、２つの緩衝部材８１が左右側方から挿通されている。また、バンド４の２つの脚部４１の貫通孔４１ａ内には、２つの緩衝部材８２が挿通されている。そして、これら複数の緩衝部材８の内側に連結軸６が挿通されている。また、各緩衝部材８は、内外周側にほぼ隙間なく設けられている。
このように複数の緩衝部材８を設けることにより、ベゼル３またはバンド４から連結軸６、ひいては本体ケース２へ伝わる衝撃が緩和される。
【００１９】
また、本実施形態の時計１では、本体ケース２とベゼル３との間にも複数の緩衝シート９（緩衝シート９１〜９３）が設けられている。
具体的には、図２，図４及び図５に示すように、本体ケース２の前端部は外周側が全周に亘って切り欠かれており、この切欠き部の前面に環状の緩衝シート９１が設けられている。また、本体ケース２のうち、２つの突設部２１の上面には直線状の緩衝シート９２が左右方向に延在するようにそれぞれ設けられ、左右両側面にも直線状の緩衝シート９３が上下方向に延在するようにそれぞれ設けられている。
これら複数の緩衝シート９は、図示しない両面テープで本体ケース２にそれぞれ貼付されており、対向するベゼル３の各面に対して所定の隙間を介在させている。より詳しくは、複数の緩衝シート９のうちの緩衝シート９１が、ベゼル３のうち前板部３２の外周側の下面と隙間を介在させつつ前後方向に対向しており、緩衝シート９２が、ベゼル３の取付カバー部３１の下面と隙間を介在させつつ斜め上下方向に対向しており、緩衝シート９３が、ベゼル３の左右両内側面と隙間を介在させつつ左右方向に対向している。これらの隙間は、連結軸６回りに配置された複数の緩衝部材８が所定の荷重を受けた場合での当該複数の緩衝部材８の各方向への変形量（最大変形量）よりも小さくなっている。また、各緩衝シート９は、連結軸６回りに設けられた緩衝部材８よりも硬質の弾性材料から構成されている。
なお、緩衝シート９は、本体ケース２及びベゼル３のいずれか一方に配置されて、他方に対して隙間を介して配置されていればよく、ベゼル３の内周面に貼付されていてもよい。また、緩衝シート９は、緩衝部材８よりも硬質のものであるか、または当該緩衝部材８よりも衝撃吸収時の接触面積（対向するベゼル３の各面と接触する面積）が大きければよい。
このように複数の緩衝シート９を設けることにより、連結軸６回りに配置された複数の緩衝部材８が荷重を受けて潰れきる前に、当該複数の緩衝シート９がベゼル３と接触する。そして、このうちの緩衝シート９１，９２が主に前後方向への衝撃を緩和し、緩衝シート９３が主に左右方向への衝撃を緩和する結果、ベゼル３から本体ケース２へ伝わる衝撃が緩和される。
【００２０】
以上のように、本実施形態によれば、金属製の本体ケース２に設けられた一対の突設部２１と、金属製のベゼル３に設けられた一対の取付カバー部３１とが、連結軸６によって連結されており、当該突設部２１（の側方軸支部２２２）及び当該取付カバー部３１（の側板部３１２）と連結軸６との間に緩衝部材８が設けられている。また、ベゼル３は本体ケース２の周縁部に対して離間配置されている。
そのため、時計１の落下等によりベゼル３に衝撃が加わった場合でも、ベゼル３が本体ケース２の周縁部と接触するよりも前に、当該衝撃が緩衝部材８によって緩和される。
したがって、金属製の本体ケース２及びベゼル３の間に伝わる衝撃を好適に緩和することができ、ひいては、本体ケース２やベゼル３の破損を防止することができる。
【００２１】
また、本体ケース２及びベゼル３のいずれか一方に配置され、他方に対して隙間を介して配置された緩衝シート９が設けられているので、連結軸６回りに設けられた緩衝部材８が衝撃を緩和しきれない場合には、この緩衝シート９によって当該衝撃が緩和される。
したがって、本体ケース２及びベゼル３の間に伝わる衝撃をさらに好適に緩和することができ、本体ケース２やベゼル３の破損をより確実に防止することができる。
【００２２】
また、緩衝シート９とベゼル３との間の隙間は、緩衝部材８が所定の荷重を受けた場合の当該緩衝部材８の変形量（最大変形量）よりも小さいので、緩衝部材８が潰れきる前にベゼル３と緩衝シート９を確実に接触させることができる。
【００２３】
また、緩衝シート９が緩衝部材８よりも硬質であるか、または緩衝部材８よりも衝撃吸収時の接触面積が大きいので、衝撃を段階的に緩和することができるとともに、本体ケース２とベゼル３との接触をより確実に防止することができる。
【００２４】
なお、本発明を適用可能な実施形態は、上述した実施形態に限定されず、本発明の要旨を逸脱しない範囲で種々変形が可能であることは言うまでもない。
【００２５】
例えば、上記実施形態では、連結軸６回りに設けられた緩衝部材８（緩衝部材８１，８２）が円筒状のものであることとしたが、図６に示すように、当該緩衝部材を鍔付きのものとして左右方向への衝撃も緩和できるように構成してもよい。
具体的に、この場合には、上記実施形態における緩衝部材８１に代えて、本体ケース２の側方軸支部２２２の貫通孔２２ａ内に鍔付きの緩衝部材８３が側方側から挿通されるとともに、ベゼル３の取付カバー部３１の貫通孔３１２ａ内に円筒状の緩衝部材８４が挿通される。また、上記実施形態における緩衝部材８２に代えて、バンド４の各脚部４１の貫通孔４１ａ内に、２つの鍔付きの緩衝部材８５が両側方から挿通される。但し、側方軸支部２２２と取付カバー部３１の側板部３１２との間や、３つの軸支部２２と２つの脚部４１との間の左右方向の各隙間は、緩衝部材８３，８５の鍔の厚さの分だけ上記実施形態よりも増しており、緩衝部材８３，８５が配置された状態で当該隙間が殆ど無くなるように構成される。
このように構成することにより、連結軸６回りの緩衝部材８によって左右方向への衝撃も好適に緩和することができる。
【００２６】
また、上記実施形態では、時計１がデジタル式のものである場合を例示したが、本発明に係る時計はデジタル式のものに限定されず、アナログ式のものであってもよいし、アナログ式の表示部及びデジタル式の表示部の両方を備えるものであってもよい。
【００２７】
また、上記実施形態では、時計１が腕時計である場合を例示したが、本発明に係る時計はこれに限定されず、本体ケースとベゼル（外装部材）を備えるものであれば、例えば掛時計や置時計などであってもよい。
【００２８】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
一対の第１の取着部を有する金属製の本体ケースと、
前記本体ケースの前記一対の第１の取着部に対応する一対の第２の取着部を有し、前記本体ケースの周縁部を覆う金属製の外装部材と、
前記第１の取着部と前記第２の取着部とを連結する連結部材と、
前記第１の取着部及び前記第２の取着部と前記連結部材との間に設けられた緩衝部材と、
を備え、
前記外装部材が前記本体ケースの周縁部に対して離間配置されていることを特徴とする耐衝撃構造。
＜請求項２＞
前記本体ケース及び前記外装部材のいずれか一方に配置され、他方に対して隙間を介して配置された他の緩衝部材を備えることを特徴とする請求項１に記載の耐衝撃構造。
＜請求項３＞
前記隙間は、前記緩衝部材が所定の荷重を受けた場合の当該緩衝部材の変形量よりも小さいことを特徴とする請求項２に記載の耐衝撃構造。
＜請求項４＞
前記他の緩衝部材は、前記緩衝部材よりも硬質であるか、または衝撃吸収時の接触面積が大きいことを特徴とする請求項２または３に記載の耐衝撃構造。
＜請求項５＞
前記本体ケースの前記一対の第１の取着部に対応する一対の第３の取着部を有する金属製のバンド部材を備え、
前記連結部材は、前記第１の取着部と前記第２の取着部と前記第３の取着部とを連結し、
前記緩衝部材は、前記第３の取着部と前記連結部材との間にも設けられていることを特徴とする請求項１〜４のいずれか一項に記載の耐衝撃構造。
＜請求項６＞
請求項１〜５のいずれか一項に記載の耐衝撃構造を備えることを特徴とする時計。
【符号の説明】
【００２９】
１          時計
２          本体ケース
２１      突設部（第１の取着部）
２２    軸支部
２２ａ  貫通孔
２２１  中央軸支部
２２２  側方軸支部
３          ベゼル（外装部材）
３１      取付カバー部（第２の取着部）
３１１  前板部
３１２  側板部
３１２ａ  貫通孔
３１２ｂ  ネジ部
４          バンド（バンド部材）
４１      脚部（第３の取着部）
４１ａ  貫通孔
６          連結軸
７          ネジ部材
８          緩衝部材
９          緩衝シート（他の緩衝部材）
１１        取付部
【図１】
0006519251.tif 000002
【図２】
0006519251.tif 000003
【図３】
0006519251.tif 000004
【図４】
0006519251.tif 000005
【図５】
0006519251.tif 000006
【図６】
0006519251.tif 000007